【手続補正書】
【提出日】平成17年10月27日(2005.10.27)
【手続補正１】
【補正対象書類名】明細書
【補正対象項目名】全文
【補正方法】変更
【補正の内容】
【書類名】明細書
【発明の名称】生理用ナプキン
【特許請求の範囲】
【請求項１】使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、
前記折り返し部分近傍に起立用弾性伸縮部材が固定され、この起立用弾性伸縮部材より幅方向内方の前記第２自由部に当接用弾性伸縮部材が固定されている、
ことを特徴とする生理用ナプキン。
【請求項２】前記各ギャザーカフスは、前記吸収要素の半剛性を有する吸収体がある位置に設けられている請求項１記載のナプキン。
【請求項３】前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位している請求項１記載の生理用ナプキン。
【請求項４】使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、前記第２自由部に当接用弾性伸縮部材が固定され、
前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位している、
ことを特徴とする生理用ナプキン。
【請求項５】使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、前記第２自由部に当接用弾性伸縮部材が固定され、
前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第２自由部の延長部分の固定開始位置が、前記第１自由部の前後方向延長部分の前記第１自由部への重ね合わせ固定開始位置より、製品の長手方向端縁側に偏位している、
ことを特徴とする生理用ナプキン。
【請求項６】前記漏れ防止シートは前記吸収要素側縁より幅方向外方に延在し、前記ギャザーカフスシートは、前記延在部分と前記吸収要素側縁より幅方向内方部位との間に跨りそれらの使用面側に固定され、
前記幅方向内方部位の第１折り返し線において折り返され、幅方向外方に向かう第１折り返し部が形成され、第２折り返し線において折り返され、幅方向内方に向かう第２折り返し部が形成され、
製品の長手方向両端部のみにおいて、前記第１折り返し部が、製品の使用面側に固定され、前記第２折り返し部が前記第１自由部に重ね合わせ状態で固定され、
製品の長手方向両端部間においては、前記第１折り返し部が、製品の使用面側に非固定であり、かつ、前記第２折り返し部が前記第１折り返し部に非固定である請求項１、４または５記載の生理用ナプキン。
【請求項７】前記起立用弾性伸縮部材の伸張応力が、前記当接用弾性伸縮部材の伸張応力より大きい請求項１、４または５記載の生理用ナプキン。
【発明の詳細な説明】
【０００１】
【発明の属する技術分野】
本発明は、立体的なギャザーカフスを有する生理用ナプキンに関する。
【０００２】
【従来の技術】
生理用ナプキンにおいて、体液の横漏れ防止を図ることはきわめて重要である。このために、第１先行例としての特公平７−７１５７０号公報には、両側にギャザーフラップを形成し、このギャザーフラップにて体液の横漏れを堰き止めるようにしたものが開示されている。また、第２先行例としての特開平８−２８０７３５号公報には、吸収要素の両側から幅方向外方に延在するバックシート上に、フラップを固定し、このフラップの先端部に幅方向外方に折り返した防漏面を形成したものを開示している。
【０００３】
【発明が解決しようとする課題】
しかし、第１の先行例では、仮に横漏れ防止を確実にならしめるために、ギャザーフラップの起立高さを高くする場合には、ギャザーフラップが内側または外側に倒れがちとなり、肌との接触が離れることがあり、横漏れ防止効果が十分でない。
【０００４】
第２の先行例では、フラップの先端部に幅方向外方に折り返した防漏面を形成したものであるから、フラップが内側に伏倒することがなく、防漏面が肌に沿って広がるので、防漏性は改善されるものと考えられる。
【０００５】
しかし、そのフラップは吸収体との間にサイドポケットを形成することにより、トップシートを伝わって流れる体液をサイドポケットで阻止するとの思想に基づくものであり、フラップを大きく起立させるとの考えはない。
【０００６】
しかるに、特に夜用など長時間装着するナプキンでは、横漏れ防止効果を一層高める必要があり、また、夜用に対しては製品としての安心感を与えることも必要である。
【０００７】
したがって、本発明の課題は、ギャザーカフスの起立高を高め、優れた横漏れ防止効果および肌への柔らかいフィット性を発揮する生理用ナプキンを提供することにある。
【０００８】
【課題を解決するための手段】
上記課題を解決した本発明は次記のとおりである。
【０００９】
＜請求項１記載の発明＞
使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、
前記折り返し部分近傍に起立用弾性伸縮部材が固定され、この起立用弾性伸縮部材より幅方向内方の前記第２自由部に当接用弾性伸縮部材が固定されている、
ことを特徴とする生理用ナプキン。
【００１０】
（作用効果）
Ａ．第１自由部と第２自由部とのを折り返し部分近傍に起立用弾性伸縮部材が固定されているから、装着時において前後方向の湾曲に伴ってその起立用弾性伸縮部材の収縮力により、ギャザーカフスが使用面側に起立する。この起立ラインを起点として、第２自由部に当接用弾性伸縮部材が固定されていることもあって、当接用弾性伸縮部材の収縮力により、第２自由部の製品幅方向内側（以下「内側」「内方」及び「外側」「外方」とは製品の幅方向に関して言う。）部分が前記起立ラインより使用面側により高く起立する。したがって、ギャザーカフスの起立高を大きくでき、装着者の動きが極端であっても、その動きに良好に追従して常に肌に接するから、横漏れ防止効果が高いものとなる。
Ｂ．ギャザーカフスを形成するに、第１自由部と第２自由部との折り返し形態を採っている。折り返し形態を採らない場合には、ギャザーフラップの前後を製品に固定するとき、たとえばギャザーフラップを内向きで前後を製品に固定する場合には、そのギャザーフラップの起立高を大きくするときに、両内側縁間の幅方向離間距離（体液受け入れ有効幅距離）が極端に短いものとなり、体液受け入れ性が悪くなり、逆に、ギャザーフラップを外向きで前後を製品に固定する場合には、そのギャザーフラップの起立高を大きくするときに、両内側縁間の幅方向離間距離が極端に大きいものとなり、ギャザーフラップの起立線を内側寄りにせざるを得ないことにより、そして、着用者の股間部幅に対応した製品とするためには、両ギャザーフラップの起立線を吸収体の幅方向中央線に近いものとする必要があり、結果として、吸収体の幅方向中央部のみから体液の吸収開始を行うものとなり、浸透性の点で吸収体のある程度大きい面積領域から体液の吸収開始を行うことが望ましいことに反する。
これらの欠点のほか、いずれにしても、折り返し形態を採らない限り、ショーツからの肌への持ち上げ力などによりギャザーフラップが平坦化する、特にギャザーフラップの幅を広くするときに平坦化する傾向があることを知見した。
しかるに、本発明に従って、第１自由部と第２自由部との折り返し形態を採ることにより、幅方向にある程度狭い幅内において、第１自由部及び第２自由部を起立させることができるので、体液受け入れ性に優れ、及び体液の浸透開始有効面積を広く取ることができる。しかも、装着時において製品の前後方向の湾曲に伴って、起立用弾性伸縮部材の収縮力により、比較的幅狭の第１自由部が平坦化することなく確実に起立し、当接用弾性伸縮部材の収縮力により、同様に比較的幅狭の第２自由部が平坦化することなく確実に起立するので、ギャザーカフス全体として、幅狭でありながら、大きくかつ確実に起立するギャザーカフスが得られる。そして、第１自由部自体として確実に起立し、第２自由部自体も確実に起立することは、製品の面と直交する方向のギャザーカフスのクッション性を高め、肌へのフィット性を良好にし、横漏れ防止効果を高める。さらに、第２自由部は、肌と当接するとき、折り返し部を境にして折曲し肌と平行になりながら起立するので、肌とはほとんど面接触するようになり、肌に対するフィット性に優れたものとなる。
【００１１】
＜請求項２記載の発明＞
前記各ギャザーカフスは、前記吸収要素の半剛性を有する吸収体がある位置に設けられている請求項１記載のナプキン。
【００１２】
（作用効果）
Ｃ．製品の装着時においてフラップは前後方向の湾曲が安定しないものの、半剛性を有する吸収体は着用者の股間形状に確実に沿う形状をもって湾曲するので、ギャザーカフスの起立が確実に行われる。
【００１３】
＜請求項３記載の発明＞
前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位している請求項１記載の生理用ナプキン。
【００１４】
（作用効果）
Ｄ．第１自由部が大きく（強く）起立し、第２自由部が小さく（弱く）起立する形態を得ることができる。
【００１５】
＜請求項４記載の発明＞
使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、前記第２自由部に当接用弾性伸縮部材が固定され、
前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位している、
ことを特徴とする生理用ナプキン。
【００１６】
（作用効果）
Ｅ．請求項１では、折り返し部分近傍に起立用弾性伸縮部材が固定されているが、請求項４記載の発明に従って、起立用弾性伸縮部材を有しない場合でも、当接用弾性伸縮部材の収縮力により第１自由部及び第２自由部は肌側に起立する。このとき、前後の少なくとも一方の端部において、製品の長手方向中央からの基準で、前記第１自由部の延長部分の固定開始位置が、前記第２自由部の前後方向延長部分の前記第１自由部への重ね合わせ固定開始位置より、製品の長手方向端縁側に偏位していると、第１自由部が大きく起立し、第２自由部が小さく起立する形態を得ることができる。
【００１７】
＜請求項５記載の発明＞
使用面側から体液を受け入れて内部に保持する吸収要素と、この裏面側にあって前記吸収要素から裏面側への体液の漏れを防止する漏れ防止シートと、少なくとも製品の長手方向中間において、製品の両側部にあって、体液の透過を実質的に許さないギャザーカフスシートに対して弾性伸縮部材を有し、製品の装着時その弾性伸縮部材の収縮力により使用者の肌側に起立するギャザーカフスとを備え、
前記ギャザーカフスシートは、長手方向前後が製品の使用面側に固定され、
これらの固定部分の間がそれぞれ製品の使用面側に非固定である、幅方向外方に向かう第１自由部とこれから折り返されて幅方向内方に向かう第２自由部とを有し、前記第２自由部に当接用弾性伸縮部材が固定され、
前記第１自由部の前後方向延長部分が、製品の使用面側に固定され、前記第２自由部の前後方向延長部分が前記第１自由部の前後方向延長部分に重ね合わせ状態で固定され、
前後の少なくとも一方の端部において、製品の長手方向中央からの基準で、前記第２自由部の延長部分の固定開始位置が、前記第１自由部の前後方向延長部分の前記第１自由部への重ね合わせ固定開始位置より、製品の長手方向端縁側に偏位している、
ことを特徴とする生理用ナプキン。
【００１８】
（作用効果）
Ｆ．請求項１では、折り返し部分近傍に起立用弾性伸縮部材が固定されているが、請求項５記載の発明に従って、起立用弾性伸縮部材を有しない場合でも、当接用弾性伸縮部材の収縮力により第１自由部及び第２自由部は肌側に起立する。このとき、前後の少なくとも一方の端部において、製品の長手方向中央からの基準で、前記第２自由部の延長部分の固定開始位置が、前記第１自由部の前後方向延長部分の前記第１自由部への重ね合わせ固定開始位置より、製品の長手方向端縁側に偏位していると、第１自由部が小さく起立し、第２自由部が大きく起立する形態を得ることができる。
【００１９】
＜請求項６記載の発明＞
前記漏れ防止シートは前記吸収要素側縁より幅方向外方に延在し、前記ギャザーカフスシートは、前記延在部分と前記吸収要素側縁より幅方向内方部位との間に跨りそれらの使用面側に固定され、
前記幅方向内方部位の第１折り返し線において折り返され、幅方向外方に向かう第１折り返し部が形成され、第２折り返し線において折り返され、幅方向内方に向かう第２折り返し部が形成され、
製品の長手方向両端部のみにおいて、前記第１折り返し部が、製品の使用面側に固定され、前記第２折り返し部が前記第１自由部に重ね合わせ状態で固定され、
製品の長手方向両端部間においては、前記第１折り返し部が、製品の使用面側に非固定であり、かつ、前記第２折り返し部が前記第１折り返し部に非固定である請求項１、４または５記載の生理用ナプキン。
【００２０】
（作用効果）
Ｇ．体液の透過を実質的に許さないギャザーカフスシートと漏れ防止シートとで、他の材料を使用することなく製品の側部フラップを構成できる。ギャザーカフスシートは不織布により構成することにより、漏れ防止シートがプラスチックシートであっても、肌への感触性に優れたフラップとなる。
【００２１】
＜請求項７記載の発明＞
前記起立用弾性伸縮部材の伸張応力が、前記当接用弾性伸縮部材の伸張応力より大きい請求項１、４または５記載の生理用ナプキン。
【００２２】
（作用効果）
Ｈ．起立用弾性伸縮部材の伸張応力は相対的に大きいので、第１自由部の起立を確実にする。当接用弾性伸縮部材の伸張応力は相対的に小さいものであるために、肌に対する過度の圧接を防止して、柔らかく当接する。
【００２３】
【発明の実施の形態】
以下本発明の実施の形態を図面を参照しながらさらに詳説する。
【００２４】
＜第１の実施の形態＞
図１において上側が製品の前側である。本発明の生理用ナプキンは、使用面側から体液を受け入れて内部に保持する吸収要素１０と、この裏面側にあって吸収要素１０から裏面側への体液の漏れを防止するポリエチレンシートなどからなる漏れ防止シート３０と、少なくとも製品の長手方向中間において、製品の両側部にあって、体液の透過を実質的に許さないギャザーカフスシート２１に対して、たとえば糸ゴムなどからなる弾性伸縮部材２２Ａ，２２Ｂを有し、製品の装着時その弾性伸縮部材２２Ａ，２２Ｂの収縮力により使用者の肌側に起立するギャザーカフス２０とを備える。
【００２５】
吸収要素１０は、使用面側に位置し体液を透過させる、不織布や好適には外面から内面方向には体液を通すが逆戻りを防止する小孔を有するポリエチレンシートを用いた表面シート１１と、透過した体液を受け入れて内部に保持する綿状粉砕パルプおよび必要によりさらにその上下面もしくは全面を包む吸収紙（図示せず）を有する、中高部１２Ａが形成された吸収体１２とを有している。もちろん、高分子吸収ポリマーを含有させることができる。実施の形態では、表面シート１１は、吸収体１２の使用面を覆っている。
【００２６】
前記各ギャザーカフス２０は、吸収要素１０の半剛性を有する吸収体１２がある位置に設けられ（形成され）ている。
【００２７】
漏れ防止シート３０は、吸収要素１０の側縁より外方に延在してフラップの構成部材としてある。
【００２８】
ギャザーカフスシート２１は、好適には疎水性または撥水性などの不織布材料からなり、必要ならば体液不透過性プラスチックシートなども用いることであり、その基部２１Ａの長手方向全体が、表面シート１１の表面にホットメルト接着剤などにより固定されている。このギャザーカフスシート２１は、吸収要素１０の側縁より外方に延在しており、その延在部２１Ｂが、漏れ防止シート３０上に重ね合わされ、ホットメルト接着剤などにより相互が一体化され、フラップ４０を構成している。フラップ４０は、前側フラップ４０Ａ、ショーツの股間部に巻き込むためのウイング部４０Ｂ、及びほぼ長手方向中間から後部に向かって大きく翼を広げる後側フラップ４０Ｃに区分して構成してある。
【００２９】
ギャザーカフスシート２１は、基部２１Ａの内方縁の第１折り返し線Ｌ１において折り返され、幅方向外方に向かう第１折り返し部２１Ｃが形成され、この第１折り返し部２１Ｃ終端の第２折り返し線Ｌ２において折り返され、幅方向内方に向かう第２折り返し部２１Ｄが形成され、さらに弾性伸縮部材２２Ａ，２２Ｂを内包させるために、第２折り返し部２１Ｄの終端の第３折り返し線Ｌ３において折り返しされ、重合部２１Ｅおよび重合部２１Ｆとして、第１折り返し部２１Ｃ及び第２折り返し部２１Ｄに対してホットメルト接着剤などにより重合状態で固定されている。
【００３０】
ギャザーカフス２０を構成するために、ギャザーカフスシート２１は、製品の長手方向両端部のみにおいて、第１折り返し部２１Ｃが、製品の使用面側に、実施の形態では基部２１Ａの表面に、ホットメルト接着剤などにより固定されている（この固定領域を図１の破線によるハッチングにより示した）。しかも、第２折り返し部２１Ｄが、重合部２１Ｅを介して、重合部２１Ｆ及び第１折り返し部２１Ｃにホットメルト接着剤などにより重ね合わせ状態で固定されている（この固定領域を図１の実線によるハッチングにより示した）。なお、各固定領域は全面でなく、間欠的に固定することもできる。
【００３１】
他方、図４に明示されているように、製品の長手方向両端部間においては、第１折り返し部２１Ｃが、製品の使用面側に非固定であり、かつ、第２折り返し部２１Ｄが第１折り返し部２１Ｃに非固定とされ、外方に向かう第１自由部Ｘとこれから折り返されて幅方向内方に向かう第２自由部Ｙとが構成されている。
【００３２】
前記第２折り返し線Ｌ２近傍（±１．５ｍｍ以内）には、起立用弾性伸縮部材２２Ａが固定され、この起立用弾性伸縮部材２２Ａより幅方向内方の第２自由部Ｙに当接用弾性伸縮部材２２Ｂ，２２Ｂが固定されている。
【００３３】
ギャザーカフス２０を平坦化したときのその平面視の幅（第１自由部Ｘの幅または第２自由部Ｙの幅でもある）としては、８〜１８ｍｍが望ましい。
【００３４】
他方、吸収要素１０には吸収体１２のよれ防止、体液の拡散防止、ならびにフィット性向上などのためのエンボス５０、５１が形成されている。
【００３５】
ここで、各弾性伸縮部材としては、糸ゴムのほか、弾性伸縮性発泡体（たとえば発泡ウレタン）などの採用も可能である。糸ゴムを使用する場合、起立用弾性伸縮部材２２Ａとしては、第２折り返し線Ｌ２近傍に３本以内の数で設けることができる。当接用弾性伸縮部材２２Ｂとしては、第２折り返し部２１Ｄにおいて１本でもよいが、幅方向に複数、たとえば２本とするのが起立・持ち上げ性に優れる。最高で６本以内の配設が可能である。ただ、第２折り返し部２１Ｄの内方縁（第３折り返し線Ｌ３）の内方に当接用弾性伸縮部材２２Ｂを設けず、その内方縁から１〜３ｍｍ程度離間させることが、肌への接触性が優れる。
【００３６】
弾性伸縮部材の固定に際しては、当該弾性伸縮部材にホットメルト接着剤を塗布してギャザーカフスシート２１に固定するほか、ギャザーカフスシート２１にホットメルト接着剤を塗布して弾性伸縮部材を固定する形態によってもよい。起立用弾性伸縮部材２２Ａ及び当接用弾性伸縮部材２２Ｂ，２２Ｂの伸張率は１１０〜２００％、特に１３０〜１８０％が好ましい。
【００３７】
起立用弾性伸縮部材２２Ａの伸張応力が、当接用弾性伸縮部材２２Ｂの伸張応力より大きいことがギャザーカフス２０全体の起立性の点で望ましい。それらの伸張応力の差は１０〜４０％が好ましい。
【００３８】
さらに、前後の少なくとも一方の端部、好適には両端部において、製品の長手方向中央からの基準で、第１自由部Ｘの延長部分の固定開始位置が、第２自由部Ｙの前後方向延長部分の第１自由部Ｘへの重ね合わせ固定開始位置より、製品の長手方向端縁側に偏位していることが望ましい。すなわち、図１に図示するように、第１自由部Ｘの収縮有効長さＤ１が、第２自由部Ｙの収縮有効長さＤ２より長い方が望ましい。
【００３９】
かかる構成の下で、本発明のナプキンを装着する場合には、漏れ防止シート３０の裏面（表面）に設けた粘着剤（図示せず）をショーツ内面に当てて仮止めするとともに、ウイング部４０Ｂをショーツの外面に巻き込み粘着剤（図示せず）により仮固定する。
【００４０】
装着状態を概念的に図５および図６に示した。ナプキンは前後方向に股間部に沿って湾曲する。このとき、弾性伸縮部材２２Ａ，２２Ｂの収縮力により、ギャザーカフス２０が起立する。したがって、ギャザーカフス２０が横漏れ防止用バリヤーカフスを構成する。
【００４１】
このとき、第１自由部Ｘと第２自由部Ｙとの折り返し部分（第２折り返し線Ｌ２）近傍に起立用弾性伸縮部材２２Ａが固定されているから、装着時において前後方向の湾曲に伴ってその起立用弾性伸縮部材２２Ａの収縮力により、ギャザーカフス２０が使用面側に起立する。この起立ライン（第２折り返し線Ｌ２）を起点として、第２自由部Ｙに当接用弾性伸縮部材２２Ｂ，２２Ｂが固定されていることもあって、当接用弾性伸縮部材２２Ｂ，２２Ｂの収縮力により、第２自由部Ｙの製品幅方向内側部分が前記起立ラインより使用面側により高く起立する。したがって、ギャザーカフス２０全体の起立高を大きくでき、装着者の動きが極端であっても、その動きに良好に追従して常に肌に接するから、横漏れ防止効果が高いものとなる。
【００４２】
ギャザーカフス２０を形成するに、第１自由部Ｘと第２自由部Ｙとの折り返し形態を採っている。しかるに、第１自由部Ｘと第２自由部Ｙとの折り返し形態を採ることにより、幅方向にある程度狭い幅内において、第１自由部Ｘ及び第２自由部Ｙを起立させることができるので、体液受け入れ性に優れ、及び体液の浸透開始有効面積を広く取ることができる。しかも、装着時において前後方向の湾曲に伴ってその起立用弾性伸縮部材２２Ａの収縮力により、比較的幅狭の第１自由部Ｘが平坦化することなく確実に起立し、当接用弾性伸縮部材２２Ｂの収縮力により、同様に比較的幅狭の第２自由部Ｙが平坦化することなく確実に起立するので、ギャザーカフス２０全体として幅狭でありながら、大きくかつ確実に起立するギャザーカフス２０が得られる。そして、第１自由部Ｘ自体として確実に起立し、第２自由部Ｙ自体も確実に起立することは、製品の面と直交する方向のギャザーカフスのクッション性を高め、肌へのフィット性を良好にし、横漏れ防止効果を高める。
【００４３】
他方、図１に図示するように、第１自由部Ｘの収縮有効長さＤ１を、第２自由部Ｙの収縮有効長さＤ２より長くすることができる。これにより、第１自由部Ｘの収縮有効長さＤ１範囲が長いので、第１自由部Ｘの起立高さが高い（強い）ものとなり、これに対して第２自由部Ｙの収縮有効長さＤ２範囲は短いので、第２自由部Ｙの起立高さは小さい（弱い）ものとなる。したがって、第１自由部Ｘは十分な起立高さを有する体液阻止用ポケットを形成し、これに対して、第２自由部Ｙは起立高さが小さい（弱い）状態で、肌に接触するようになるから、第２自由部Ｙはほぼ肌と面接触するようになり、かつ柔らかいフィットとなる。
【００４４】
＜第２の実施の形態＞
図７に示すように、第１自由部Ｘの収縮有効長さＤ１を、第２自由部Ｙの収縮有効長さＤ２より短くすることができる。これにより、第１自由部Ｘの収縮有効長さＤ１範囲が短いので、第１自由部Ｘの起立高さが小さいものとなり、これに対して第２自由部Ｙの収縮有効長さＤ２範囲は長いので、第２自由部Ｘの起立高さは大きいものとなる。したがって、第１自由部Ｘの起立高さが大きいものではないとしても、第２自由部Ｙが大きく起立するので、肌に確実に接触するようになり、横漏れ防止効果が大きい。
【００４５】
＜第３の実施の形態＞
図４と対比して図８に示すように、起立用弾性伸縮部材２２Ａを設けないことができる。
【００４６】
【発明の効果】
以上のとおり、本発明によれば、ギャザーカフスの起立高を高めて優れた横漏れ防止効果を発揮する生理用ナプキンを得ることができる。
【図面の簡単な説明】
【図１】
本発明の生理用ナプキンの使用面側からの平面図である。
【図２】
図１の２−２線矢視図である。
【図３】
図１の３−３線矢視図である。
【図４】
本発明の生理用ナプキンの使用状態におけるギャザーカフスの長手方向端部と中央部との関係を示す要部拡大断面図である。
【図５】
使用状態の斜視図である
【図６】
図１の６−６線に沿う使用状態における側面図である。
【図７】
第２の実施の形態の使用面側からの平面図である。
【図８】
第３の実施の形態におけるギャザーカフスの長手方向端部と中央部との関係を示す要部拡大断面図である。
【符号の説明】
１０…吸収要素、１１…表面シート、１２…吸収体、２０…ギャザーカフス、２１…ギャザーカフスシート、２１Ａ…基部、２１Ｃ…第１折り返し部、２１Ｄ…第２折り返し部、２１Ｅ，２１Ｆ…重合部、２２Ａ…起立用弾性伸縮部材、２２Ｂ…当接用弾性伸縮部材、３０…漏れ防止シート、４０…フラップ、Ｌ１…第１折り返し線、Ｌ２…第２折り返し線、Ｌ３…第３折り返し線、Ｘ…第１自由部、Ｙ…第２自由部。
【手続補正２】
【補正対象書類名】図面
【補正対象項目名】図２
【補正方法】変更
【補正の内容】
【図２】
2001095844.tif 000001